(57)【要約】【課題】昨今の技術の進歩によって便利な世の中になり、人間は自分の体や頭を使う機会が少なくなってきた結果、認知症というたいへん厄介な脳の病気を背負ってしまった。脳の老化を防止し、活性化するにはどうすればよいのかという大きな課題に日本は今直面している。【解決手段】透明な方形基板１の一辺に沿って紙ホルダー２を設けてロール紙６を装着し、隣接する他の一辺に背面板３の一辺を可動連結具４で連結し、紙押さえ５を設けた裏文字筆記板を提供する。【選択図】図１
2008254410.tif 000002
【特許請求の範囲】
【請求項１】
透明の方形基板の一辺に沿って紙ホルダーを設けてロール紙を装着し、隣接する他の一辺に背面板の一辺を可動連結具で連結したことを特徴とする裏文字筆記板。
【発明の詳細な説明】
【技術分野】
【０００１】  本発明は裏文字を書いて脳の訓練をするための筆記板に関するものである。
【背景技術】
【０００２】  ２１世紀を迎えた現在、技術の進歩は昔とは比べ物にならないほど進み、生活のあらゆる分野で機械が人間に代わって仕事をしてくれるたいへん便利な世の中になってきた。新聞や本を読まなくてもテレビを見ていれば世の中の出来事がわかる。文字を書かなくてもコンピュータのキーを叩くだけできれいに文章が出来てくる。図書館へ行って文献を調べなくても、インターネットで世界中の情報が家に居ながらにして入手できる。昔、手計算やそろばんを使ってやっていた計算は、計算機が瞬時に答を出してくれる。主婦はレトルト食品と電子レンジがあれば、手間暇かけて料理をする必要もなくなってきた。【０００３】  このように便利さに浸り始めた人間は、自分で体を動かしたり頭を使って考えることをしなくなってきた。しかし、この状態が長期にわたって続いた結果、恐ろしいことに「認知症」という厄介な脳の病気が台頭してきたのである。現在、認知症が全国的に蔓延しつつあり、大きな社会問題となっていることはすでによく知られているところである。【０００４】  認知症になると、家族は一日中つきっきりで介護しなければならなくなり、楽しく自由に過ごせるはずの家族の生活は奪われてしまう。かといって、病院に預けても家計の支出はばかにならない。脳にとって一番悪いのは、一日中テレビをつけっぱなしにしてボーッと見続けることだという。この好ましくない傾向に何とか歯止めをかけ、脳を活性化する方向に私たちの生活を軌道修正しなければならない。脳の老化を防止し、いつまでも脳の働きを正常に保つ、あるいは老化した脳を元の状態に引き戻すためには何をすればよいのであろうか。【０００５】  現在、裏文字を書く練習用に、薄く裏文字を印刷してなぞり書きする用紙が市販されてはいるが、裏文字練習用の器具としては開発されていない状況である。裏文字に関係するものとしては、教師が教壇から子供たちに向かって文字の書き方を教える教材としての指導補助用具（特許文献１参照）がある程度である。
【特許文献１】特開２００６−１１３４９１号公報
【発明の開示】
【発明が解決しようとする課題】
【０００６】  人間の大脳は前頭葉、側頭葉、頭頂葉、後頭葉の四つに分類されるが、このうち前頭葉の前頭前野は「やる気の脳」といわれ、意欲や意志を司る最も重要な部分である。この部分が活性化していない状態が続くと、人間はやる気がなくなり、やがては認知症になるといわれている。物の本によれば、認知症を予防するには前頭葉を鍛えてやる気をアップさせるとともに、脳全体を刺激して思考力や記憶力をアップさせ、視覚や聴覚や味覚、臭覚、触覚など五感を担当する部分に刺激を与え、脳を総合的に働かせることが重要であるという。【０００７】  それでは、脳に刺激を与えるには具体的にどんなことをすればよいのか。散歩して手足を動かす。まわりの風景に興味を持ってよく観察する。小鳥の声や人の話に耳を傾ける。家族や友人と雑談をする。草花や植木の手入れをする。写生する題材を選んで絵手紙を描く。メニューを考えて料理をつくる。ラジオを聴いてその情景を思い浮かべてみる。好きな本を読む、などなど。自分でできそうなものを何でも選んで試みることが脳にとって一番の良薬だという。要は、どれを選ぶにしても、いかにしてそれを継続してやることができるかがポイントとなる。
【課題を解決するための手段】
【０００８】  上記の課題を解決するために請求項１に記載の発明は、透明の方形基板の一辺に沿って紙ホルダーを設けてロール紙を装着し、隣接する他の一辺に背面板の一辺を可動連結具で連結したことを特徴とする裏文字筆記板である。【０００９】  本発明は、通常目にする文字（以後、正文字という）を裏側から見た文字（以後、裏文字という）として書くことによって脳の思考力を刺激し、紙や文字を見ながら書くことで脳の視覚野を刺激し、筆記具を持って手を動かすことで脳の運動野を刺激する器具として考案されたものである。正文字を書くのは簡単だが、裏文字を書くとなると相当頭を使わないと書けない。裏文字として書く対象は数字、平仮名、片仮名、漢字、ローマ字などに限らず、絵やイラスト、文字入りイラストなど何でもよい。【００１０】  まず基板であるが、裏文字を書くときの下敷きの役目と、書いた文字を裏側から透かして確認するためのものであるから、ある程度の硬度と透明であることが要求される。したがって基板の素材としては透明なアクリル板やプラスチック板等の素材が適している。ガラス板でも構わないが、できるだけ軽量である方が扱いやすいし、連結具を取り付ける穴あけ等の加工が容易な素材である方がよい。【００１１】  背面板は、裏文字を書くときに基板の裏側に置いて文字を浮き立たせて見やすくするための板である。紙に書く文字等が黒色またはそれに近い濃い色であることを考えれば、白色の板が望ましいが、明るい色であればこれに限定するものではない。この背面板は基板の裏側にセットして裏文字を書いた後、基板の筆記面側に移動させ、これをバックに基板裏側から文字を確認する場合にも使われるため、両面とも白色のものが理想的である。力が加わる部分ではないので、ある程度の丈夫さがあれば薄いものでよい。【００１２】  基板と背面板を連結する連結具は、基板の裏面から表面に、また表面から裏面にと、文字を書いたり読んだりするたびに背面板を移動させる必要があるため、板状リング、針金状リング、紐など、３６０度背面板を容易に回転させることができるものであれば何でも構わない。【００１３】  裏文字筆記板に使用する紙は巻紙でも一枚ずつ分かれた紙でもよく、表側に書いた文字が裏側から見てもはっきり見える半透明の紙が理想的である。また、白色の背面板があるため、セロファンなどの透明な紙も文字が書ける筆記具さえあれば使用可能である。極端なことをいえば、書いた文字を簡単に消すことができれば、紙なしの透明な基板に直接文字を書いても同じ効果が得られる。【００１４】  紙ホルダーは筆記する紙を収納しておく容器であり、基板に付属していれば必要なときいつでも紙が供給できて便利である。またこの紙ホルダーは、基板を裏返しして机などに置いたときの紙の保護容器としての役目も持っている。【００１５】  紙押さえは筆記する紙がずれないように押さえておくためのものであるが、使用済みの紙を切り取るカッターとしての役目もある。必ずしも透明である必要はないが、切り取る際、紙の文字が見える透明のほうが使いやすい。基板への留め方は、ボルトで一端を留めるのが簡単であるが、磁石や面ファスナーを用いてもよい。
【発明の効果】
【００１６】  自分の頭で裏文字を考えながら書いていくという作業は、通常の文字や文章を書いたり予め設定された裏文字をなぞる作業に比べて、より頭を使う高度な作業であり、脳の活性化に非常に効果的である。【００１７】  本発明の裏文字筆記板は、脳活性化用具としてすでに販売されている「裏文字筆記練習用に紙に薄く印刷した裏文字をなぞる用紙」とは異なり、自分の頭の中で考えた文章や文字を自由に裏文字に置き換えて書くものであるため、飽きが来ず興味を持ってでき長続きすることができる。【００１８】  大人は大人なりに、子供は子供なりに自分の程度に応じた文字を書くので、家族一緒になって楽しむことができ、脳の活性化とともに現代人に欠けがちな良好な人間関係を築くのに役立つ。
【発明を実施するための最良の形態】
【００１９】  本発明を実施するための最良の形態について、図１〜図４を参照して説明する。【００２０】  本発明は、認知症という脳の異常が近年とみに増加している事実を踏まえ、その予防および治療を目的に考えられた器具である。私たちが通常目にする正文字を裏側から見た裏文字として書き、器具を裏返して正文字として読む器具である。裏文字を思い巡らし、手を使って書き、正しく書けたかどうかをすぐに確認できる点が特徴である。【００２１】  まず紙ホルダー２から基板１の上に紙６を引き出して紙押さえ５の下に挟む。この場合、背面板３は紙６のある面とは反対側に置く。【００２２】  ＢやＨＢなどの濃い鉛筆を使用して、紙６の上に裏文字を書く。最初は数字や簡単な片仮名などから入るとよい。自分があたかも筆記板の裏にいて、そこで正文字を書いているかのごとくに、自分がいつも書く書き順で書くのが正式である。【００２３】  文字を書き終わったら、背面板３を起こして筆記板の表側に持ってくる。そして筆記板を裏返して自分が書いた文字が正しかったかどうかを確認する。書き順は正しかったか、点の向きは正しくできたか、はねる方向は正しかったか、などに注意してチェックする。一人で書くよりも、２〜３人で書いてお互いの作品を評価し合う方が楽しくできる。【００２４】  これで一通り終わり、あとはこの繰り返しとなるが、だんだん書く技術が進歩し要領も覚えてきたら、次の段階として平仮名や漢字混じりの文章に入っていくとよい。時計の文字盤を書いてもおもしろいし、自分の好きな俳句や短歌や詩、小説の一節などを書くと興味が尽きない。また、自分の日記をすべて裏文字で書くようにすれば、裏文字を書くことが習慣づけられ、脳の活性化にとって大切な「長続き」を実現させることにもなって一挙両得である。
【図面の簡単な説明】
【００２５】
【図１】  裏文字筆記板の外観斜視図である。
【図２】  Ａ−Ａ部分の断面図である。
【図３】  裏文字筆記板の背面板の作動と、裏文字が書かれた状態を示す斜視図である。
【図４】  裏文字筆記板を裏返して、書かれた裏文字を確認する場合を示す斜視図である。
【符号の説明】
【００２６】  １・・・基板
２・・・紙ホルダー
３・・・背面板
４・・・連結具
５・・・紙押さえ
６・・・紙
【図１】
2008254410.tif 000003
【図２】
2008254410.tif 000004
【図３】
2008254410.tif 000005
【図４】
2008254410.tif 000006